(57)【特許請求の範囲】
【請求項１】
箱体と、前記箱体の上方に設けられた天板と、前記箱体の前面に設けられた上部幕板及び下部幕板とを備えるカウンター装置であって、
物品載置板を、前記上部幕板と前記下部幕板で挟むように取り付けたものであり、
前記上部幕板の上下方向の長さは、前記天板から前記物品載置板の取り付け位置までの距離に相当し、
前記下部幕板の上下方向の長さは、前記物品載置板の取り付け位置から前記カウンター装置の下部までの距離に相当し、
前記上部幕板の前面と前記下部幕板の前面は、側面図において同一直線上になるように設けられ、
少なくとも、前記物品載置板に対して下方へ力が加えられたときに、前記上部幕板の下端が前記物品載置板の端を上側から押圧することを特徴とするカウンター装置。
【請求項２】
前記物品載置板を前記下部幕板に取り付けるための略Ｌ字状の取付具を備え、前記取付具の２つの面はそれぞれ前記物品載置板と前記下部幕板に沿うように配され、
前記取付具の一端は前記物品載置板に固定され、前記取付具の他端は前記下部幕板に固定されていることを特徴とする請求項１記載のカウンター装置。
【発明の詳細な説明】
【技術分野】
【０００１】
本発明は、接客対応するために店舗等に設けられるカウンター装置に関する。
【背景技術】
【０００２】
店舗等には従業員が接客対応するためのカウンター装置が設けられている。カウンター装置として、箱体（例えば、従業員側が開放されている）と、この上に設けられた天板とを備えるもの、あるいは、左右方向に離間して配設された一対の脚体と、該一対の脚体の上方に架設された天板と、一対の脚体間を閉塞する幕板部材とを有するものが知られている。
【先行技術文献】
【特許文献】
【０００３】
【特許文献１】特開2013-180132「カウンター装置」
【特許文献２】特許4877946「接客用カウンター装置」
【特許文献３】特開2013-128545「棚装置用バックガード」
【特許文献４】実開昭61-009031「家具用組立構造体」
【発明の概要】
【発明が解決しようとする課題】
【０００４】
カウンター装置には、来訪者の便宜のために手荷物台（物品載置板）を備えるものがある（特許文献１）。特許文献１において、手荷物台は、カウンター装置の来訪者側（従業員側の反対側）に水平に設けられた板状の部材であり、一対の脚体の間隔と同じ幅またはこれより狭い部材である。来訪者は手荷物台に自分の鞄などを置くことで両手を自由に使えるようになり、便利である。天板にはさまざまな物が置かれスペースが無いときでも、来訪者が鞄などの置き場に困ることがない。
【０００５】
カウンター装置のメーカーは、手荷物台有りのものと無しのものをそれぞれ製品のラインナップに用意し、購入時に需要者が任意に選択できるようにしている。
【０００６】
あるいは、手荷物台無しのカウンター装置のオプションとして手荷物台を提供することもなされている。この場合、製品種類が増えない点でメーカーにとって好ましいのみならず、購入後であってもカウンター装置に手荷物台を追加することができ需要者にとっても便利である。しかし、カウンター装置に手荷物台取り付けの準備を予め施しておく必要がある。手荷物台取り付けの準備として、例えば、幕板部材に手荷物台を固定するためのハンギングレール（特許文献２)や取り付け用のネジ穴を設けるといったことが必要である。
【０００７】
手荷物台取り付けの準備のためのハンギングレールやネジ穴などは、カウンター装置の全てについて施工する必要があるが、手荷物台を必要としない需要者にとってはそのような準備は不要であり、余計な製造工程である。また、取り付け準備としてのハンギングレールやネジ穴は表面に現れることがあり、せっかくの意匠を乱し美観上問題である。
【０００８】
この発明は、上記課題を解決するためになされたもので、手荷物台取り付けの準備工程を不要とし、物品載置板（手荷物台）を取り付けないときでも意匠を乱すことのないカウンター装置を提供することを目的とする。
【課題を解決するための手段】
【０００９】
この発明は、箱体と、前記箱体の上方に設けられた天板と、前記箱体の前面に設けられた幕板とを備えるカウンター装置において、
さらに、前記幕板に設けられた物品載置板とを備え、
前記幕板は、前記物品載置板の位置において上下に分離可能に構成され（以下、前記幕板の上側の部分を「上部幕板」と表記し、下側の部分を「下部幕板」と表記する）、
前記物品載置板は、前記上部幕板と前記下部幕板に挟まれるように設けられ、
少なくとも、前記物品載置板に対して下方へ力が加えられたときに、前記上部幕板の下端が前記物品載置板の端を上側から押圧するものである。
ここで、押圧は、カウンター装置の天板を取り付けることにより得られる。
【００１０】
この発明は、左右方向に離間して設けられた一対の脚体と、一対の前記脚体の上方に設けられた天板と、一対の前記脚体の前面に設けられた幕板とを備えるカウンター装置において、
さらに、前記幕板に設けられた物品載置板とを備え、
前記幕板は、前記物品載置板の位置において上下に分離可能に構成され（以下、前記幕板の上側の部分を「上部幕板」と表記し、下側の部分を「下部幕板」と表記する）、
前記物品載置板は、前記上部幕板と前記下部幕板に挟まれるように設けられ、
少なくとも、前記物品載置板に対して下方へ力が加えられたときに、前記上部幕板の下端が前記物品載置板の端を上側から押圧するものである。
ここで、押圧は、カウンター装置の天板を取り付けることにより得られる。
【００１１】
前記物品載置板を前記下部幕板に取り付けるための略Ｌ字状の取付具を備え、前記取付具の２つの面はそれぞれ前記物品載置板と前記下部幕板に沿うように配され、
前記取付具の一端は前記物品載置板に固定され、前記取付具の他端は前記下部幕板に固定されているようにしてもよい。
【図面の簡単な説明】
【００１２】
【図１】発明の実施の形態に係るカウンター装置の左側面図である。
【図２】図２（ａ）は発明の実施の形態に係るカウンター装置の平面図、図２（ｂ）は明の実施の形態に係るカウンター装置の背面図である。
【図３】発明の実施の形態に係るカウンター装置の天板、上部幕板及び手荷物台付き下部幕板を外した状態を示す側面図である。
【図４】発明の実施の形態に係るカウンター装置に、手荷物台の無い下部幕板を取り付けた状態の側面図である。
【図５】発明の実施の形態に係るカウンター装置の手荷物台近傍の拡大図（側面図）である。
【図６】発明の実施の形態に係るカウンター装置の手荷物台近傍の拡大図（平面図）である。
【図７】発明の実施の形態に係るカウンター装置の手荷物台近傍の拡大図（背面図）である。
【図８】発明の実施の形態に係る上部幕板の作用の説明図である。
【発明を実施するための形態】
【００１３】
発明の実施の形態に係るカウンター装置について、図面を参照して説明を加える。
【００１４】
なお、以下の説明において、上、下、左、右、前、後の方向は、特に断らない限り、カウンター装置を来訪者から見た方向（カウンター装置に向かっての方向）を指すものとする。
【００１５】
図１は、発明の実施の形態に係るカウンター装置の左側面図である。図２（ａ）は発明の実施の形態に係るカウンター装置の平面図、図２（ｂ）は発明の実施の形態に係るカウンター装置の背面図である。なお、これらの図において、カウンター装置の内部構造（フレームなど）についても実線で示している（以下同じ）。
【００１６】
なお、以下において、カウンター装置として、箱体（例えば、従業員側が開放されている）と、この上に設けられた天板とを備えるものを例にとり説明を加えているが、カウンター装置として、左右方向に離間して配設された一対の脚体と、該一対の脚体の上方に架設された天板と、一対の脚体間を閉塞する幕板部材とを有するものがある。前者のカウンター装置は箱体の側板が天板を支えているので、対向する一対の側板が一対の脚体に対応する。このような観点から以下の説明においては脚体という用語を用いる。本発明の実施の形態に係る脚体は、柱状のものだけではなく、図１等の箱体によるカウンター装置の側板にようなものも含む。
【００１７】
一対の脚体（側板）３０の前面（来訪者側）には幕板が設けられている。発明の実施の形態に係るカウンター装置の幕板は上下に分離可能であり、上部幕板１０Ｕと下部幕板１０Ｌとから構成されている。上部幕板１０Ｕと下部幕板１０Ｌの間には、手荷物台（物品載置板）１１が位置する。手荷物台１１は、上部幕板１０Ｕと下部幕板１０Ｌに挟まれるように設けられている。手荷物台１１は水平に取り付けられている。
【００１８】
１３は、手荷物台１１を下部幕板１０Ｌに取り付けるための略Ｌ字状の手荷物台取付金具である。手荷物台取付金具１３の２つの面はそれぞれ手荷物台１１の下面と下部幕板１０Ｌの背面に沿うように配されている。
【００１９】
２０は、一対の脚体３０の上方に設けられた天板である。
【００２０】
３０は、左右方向に離間して設けられた一対の脚体である。脚体３０は、例えば金属板でありその端部にはアングルなどの補強が設けられている。また、下部には高さ調節可能な脚端具（アジャスター）が設けられている。
【００２１】
図３は、発明の実施の形態に係るカウンター装置の天板２０、上部幕板１０Ｕ及び手荷物台１１付き下部幕板１０Ｌを外した状態を示す側面図である。
【００２２】
図３に示すように、発明の実施の形態に係るカウンター装置の天板２０、上部幕板１０Ｕ及び手荷物台１１付き下部幕板１０Ｌは、概ね直方体状の構造体（従業員が使用する背面側及び／又は底面は開放されていることもある）の表面に取り付けられる。
【００２３】
１２は、前記構造体の前面である幕板基部である。幕板基部１２は、例えば薄い金属板である。なお、上部幕板１０Ｕ及び手荷物台１１付き下部幕板１０Ｌを脚体３０のフレームで支持する場合は、幕板基部１２を備えないこともあるが、箱体のカウンター装置の場合は幕板基部１２を必ず備える。
【００２４】
２１は、前記構造体の上面である天板基部である。天板基部２１は、例えば薄い金属板である。なお、天板２０を脚体３０のフレームで支持する場合は、天板基部２１を備えないこともあるが、箱体のカウンター装置の場合は天板基部２１を必ず備える。
【００２５】
上部幕板１０Ｕ及び手荷物台１１付き下部幕板１０Ｌは、簡単に取り付けることができる。また、手荷物台１１が取り付けられていない下部幕板１０Ｌを取り付けるようにすれば、図４のように手荷物台の無いカウンター装置とすることができる。手荷物台の無いカウンター装置の場合は、上部幕板１０Ｕと下部幕板１０Ｌが一体となった、より安価な幕板を取り付ける。
【００２６】
発明の実施の形態によれば、手荷物台無しのカウンター装置のオプションとして手荷物台を提供することができる。オプションとすることで製品種類が増えず、メーカーにとって好ましい。また、購入後であってもカウンター装置に手荷物台を追加することができ需要者にとっても便利である。
【００２７】
発明の実施の形態によれば、手荷物台取付金具１３により手荷物台１１が下部幕板１０Ｌに取り付けられるので、前記構造体（例えば幕板基部１２）に、手荷物台取り付けのためのハンギングレールやネジ穴などを設ける必要がなく、意匠を乱すことがない。
【００２８】
図５は、発明の実施の形態に係るカウンター装置の手荷物台近傍の拡大図（側面図）である。図６発明の実施の形態に係るカウンター装置の手荷物台近傍の拡大図（平面図）である。図７発明の実施の形態に係るカウンター装置の手荷物台近傍の拡大図（背面図）である。
【００２９】
これらの図を参照して、手荷物台１１の具体的な取り付け態様について説明を加える。
【００３０】
１４は、手荷物台取付金具１３の一端を下部幕板１０Ｌの背面（又は前面）に取り付けるためのネジである。ネジ１４は下部幕板１０Ｌの上方に設けられたネジ穴に止められる。図５の例では、金属製の補強部材１４ａが補強として当該箇所に設けられている。
【００３１】
１５は、手荷物台取付金具１３の他端を手荷物台１１の下面に取り付けるためのネジである。
【００３２】
手荷物台取付金具１３とネジ１４及び１５により、手荷物台１１は下部幕板１０Ｌにしっかりと固定される。
【００３３】
１６は、上部幕板１０Ｕを幕板基部１２に取り付けるためのネジである。１７は、下部幕板１０Ｌを幕板基部１２に取り付けるためのネジである。図７に示すように、幕板基部１２にはネジ１６及び１７用の穴が設けられている。この取り付け穴はいわゆるだるま穴であり、ネジ１６、１７をゆるく止めた状態で上部幕板１０Ｕ、下部幕板１０Ｌを幕板基部１２のだるま穴に引っ掛けて下ろし、その後にネジ１６、１７をきつく締めて上部幕板１０Ｕ、下部幕板１０Ｌを幕板基部１２に固定する。
【００３４】
図８は、発明の実施の形態に係る上部幕板１０Ｕの作用の説明図である。
【００３５】
発明の実施の形態に係るカウンター装置では、少なくとも、手荷物台１１に対して下方へ力Ｆ１が加えられたときに、上部幕板１０Ｕの下端が手荷物台１１の端を上側から力Ｆ２で押圧する。押圧は、カウンター装置の天板２０を取り付けることによりなされる。手荷物台１１は、手荷物台取付金具１３で支えられているのでこれを支点（あるいは下部幕板１０Ｌの上端を支点）として上向きの力Ｆ３が発生する。力Ｆ２がこれに対抗し打ち消すので、手荷物台１１の端を動かないようにできる。このため、発明の実施の形態に係るカウンター装置の手荷物台１１は、鞄などの手荷物のみならず、来訪者が手をついて多少の力を加えたとしても、支障がない。
【００３６】
発明の実施の形態は、前述のような効果を奏する点のみならず、通常の使用に支障ない程度の構造的強度を備える。
【００３７】
本発明は、以上の実施の形態に限定されることなく、特許請求の範囲に記載された発明の範囲内で、種々の変更が可能であり、それらも本発明の範囲内に包含されるものであることは言うまでもない。
【符号の説明】
【００３８】
１０Ｕ    上部幕板
１０Ｌ    下部幕板
１１      手荷物台（物品載置板）
１２      幕板基部
１３      手荷物台取付金具
１４      手荷物台取付金具止めネジ
１４ａ    補強部材
１５      手荷物台止めネジ
１６      上部幕板止めネジ
１７      下部幕板止めネジ
２０      天板
２１      天板基部
３０      脚体（側板）
【図１】
0006598446.tif 000002
【図２】
0006598446.tif 000003
【図３】
0006598446.tif 000004
【図４】
0006598446.tif 000005
【図５】
0006598446.tif 000006
【図６】
0006598446.tif 000007
【図７】
0006598446.tif 000008
【図８】
0006598446.tif 000009